(57)【要約】本発明は、コネクタ（４）と、コネクタ（４）に連結することができ、瓶本体（８）及び瓶基部（１０）を有する哺乳瓶（６）と、瓶基部（１０）内に配置され、哺乳瓶（６）内の母乳の量を測定するセンサ（３４）とを備える装置（２）に関する。本発明は、装置の取り扱い及びメンテナンス並びに内容量の測定を改善することを目的とする。本発明によれば、これは、請求項１に記載の特徴を有する装置によって達成される。これは、瓶基部（１０）を瓶本体（８）に取り外し可能に固定できることを特徴とする。
2021523801.tif 000002
【特許請求の範囲】
【請求項１】
コネクタ（４）と、前記コネクタ（４）に連結することができ、瓶本体（８）及び瓶基部（１０）を有する哺乳瓶（６）と、前記瓶基部（１０）内に配置され、前記哺乳瓶（６）内の母乳の充填量を測定するセンサユニット（３４）とを備える装置（２）であって、前記瓶基部（１０）は、前記瓶本体（８）に解放可能に取り付け可能であることを特徴とする装置（２）。
【請求項２】
前記センサユニット（３４）は誘導性センサを備えることを特徴とする、請求項１に記載の装置（２）。
【請求項３】
流体を通さない分離要素（１２、２８）を特徴し、前記分離要素（１２、２８）は、前記センサユニット（３４）の方向に移動可能であり、導電性の高い材料で作られた測定要素（７０）を備える、請求項１又は２に記載の装置（２）。
【請求項４】
前記分離要素（１２、２８）は、前記哺乳瓶（６）が直立しているとき、母乳の充填量が増加すると前記センサユニット（３４）に向かって移動し、母乳の充填量が減少すると前記センサユニット（３４）から離れることを特徴とする、請求項３に記載の装置（２）。
【請求項５】
前記分離要素（１２、２８）は、中央に配置された金属インサート（７０）又は金属コーティングを有する弾性膜（２８）として形成され、前記センサユニット（３４）はコイル（７４）を備え、前記コイル（７４）は前記瓶基部（１０）の中央に配置され、前記膜（２８）から離間している、請求項３又は４に記載の装置（２）。
【請求項６】
前記金属インサート（７０）の軸は、前記コイル（７４）の軸と少なくとも概ね一直線になっていることを特徴とする、請求項５に記載の装置（２）。
【請求項７】
前記コイル（７４）と、前記瓶基部（１０）によって形成された前記取り外し可能な瓶基部（１０）の座面（４４）との間に電子部品（８２ａ、８２ｂ、８４、８６、８８、９０）が配置されていることを特徴とする、請求項５又は６に記載の装置（２）。
【請求項８】
前記瓶基部（１０）は、ねじ留め、バヨネットロック（２６）又はスナップロックによって前記哺乳瓶（６）の前記瓶本体（８）に取り付け可能であることを特徴とする、請求項１から７のいずれか一項に記載の装置（２）。
【請求項９】
瓶本体（８）と、瓶基部（１０）と、瓶（６）の内容量を測定するために前記瓶基部（１０）内に配置されたセンサユニット（３４）とを有する瓶（６）であって、前記瓶基部（１０）は、前記瓶本体（８）に解放可能に取り付け可能であることを特徴とする瓶（６）。
【請求項１０】
前記瓶（６）を請求項２から８のいずれか一項に従ってさらに発展させていることを特徴とする、請求項９に記載の瓶（６）。
【発明の詳細な説明】
【技術分野】
【０００１】
本発明は、コネクタと、コネクタに連結することができ、瓶本体及び瓶基部を有する哺乳瓶と、瓶基部内に配置され、哺乳瓶内の母乳の充填量を測定するセンサユニットとを備える装置に関する。このような装置は、特許文献１から知られている。この装置は、ポンプユニットとも呼ばれる。
【背景技術】
【０００２】
特許文献１には、瓶の首がコネクタにねじ留めされている、リザーバを有する哺乳瓶を備える装置が記載されている。哺乳瓶が直立しているとき、プレートがリザーバの下部境界を形成し、リザーバに集められた流体の重量がプレートに掛かる。プレートの反対側に歪みゲージが配置され、プレートの重量負荷の増減を記録する。この測定に基づいて、哺乳瓶の充填量を算出することができる。
【０００３】
従来技術の装置には改善の余地がある。
【先行技術文献】
【特許文献】
【０００４】
【特許文献１】米国特許出願公開第２０１５／０２８３３１１号明細書
【発明の概要】
【発明が解決しようとする課題】
【０００５】
本発明の目的は、装置の取り扱い及びメンテナンス並びに内容量の測定を改善することである。
【課題を解決するための手段】
【０００６】
この目的を満たすために、本発明は、請求項１に記載の特徴を有する装置を提案する。瓶基部が瓶本体に対して解放可能に取り付け可能であることが特徴である。
【０００７】
その結果、センサユニットが配置された瓶基部を瓶本体から分離することができる。これにより、センサユニットはメンテナンス又は修理の目的でアクセスすることが容易になり、瓶本体をよりよく洗浄することができる。また、瓶本体の設計は、センサユニットによって損なわれない。
【０００８】
本発明による哺乳瓶は、典型的には、少なくとも部分的に透明な熱可塑性材料から又はガラスから製造される。特に好ましくはポリプロピレンが使用される。プラスチック材料で作られる哺乳瓶は、使い捨ての瓶として又はリターナブル瓶として製造することができ、通常７．５〜３０ｇの重量を有する。再使用可能な哺乳瓶は、好ましくは、約０．９ｍｍの壁厚を有する。
【０００９】
哺乳瓶の公称容量は、典型的には８０〜２５０ｍｌ、特に８０ｍｌ、１５０ｍｌ又は２５０ｍｌである。哺乳瓶が収容できる最大容量は、通常３３０ｍｌ以下である。
【００１０】
哺乳瓶は、好ましくは約６０〜１６０ｍｍ、好ましくは６６ｍｍ、９９．５ｍｍ、１０２ｍｍ、１３６ｍｍ又は１４８．５ｍｍの高さを有する。開口部を形成する瓶の首の直径は、典型的には３３ｍｍである。瓶の最大直径は、典型的には５０〜７０ｍｍ以下、好ましくは５３ｍｍ、６０ｍｍ又は６５ｍｍ以下である。全ての寸法は、±１０％、好ましくは±５％の公差を有するものと理解されるべきである。
【００１１】
一般に、瓶は、瓶の首に向かって円錐状に先細りになる実質的に円筒形の瓶本体を有し、瓶の首は、搾乳器及び／又は乳頭に接続することができる。瓶の本体の直径は、その長さによって異なることもできる。例えば、瓶本体は、特に、１つ以上の円錐形部分によって接続され得る、異なる直径のいくつかの円筒形部分を有することができる。通常、瓶の首は最小の直径を有する。瓶の首は、好ましくは、雄ねじを備える。
【００１２】
瓶基部は通常、座面を形成し、哺乳瓶は座面で平らな支持面上に直立する。哺乳瓶のその部分は、一般に瓶基部と呼ばれ、瓶基部は、座面から哺乳瓶の流体リザーバを画定する流体を通さない分離要素まで延びる。分離要素は、瓶本体又は瓶基部に結合することができる。取り外し可能な瓶基部は、一般に、約１〜３ｃｍの高さを有する円盤形状である。取り外し可能な瓶本体の直径は、通常、瓶本体の基端の直径に対応するが、基端の直径と最大２０ｍｍ異なることができる。座面は、典型的には実質的に平坦な面であり、任意選択でリザーバに向かって内側に中心曲率を有することができる。座面は、下方に突出するリングによって形成することもできる。
【００１３】
コネクタは、典型的には、人間の女性の乳房に適合し、特に人間の女性の乳房に密封するように適用することができる乳房シールドを備え、乳房シールドは、ハンドポンプ又は電気作動ポンプに接続可能であり、それらと相互作用して乳房シールドと乳房との間に負圧を生成するように適合される。負圧は、典型的には、ポンプのポンピング又は吸引ストロークに対応する特定の周波数で生成される。これは、母乳の流れを刺激する。コネクタは通常、コネクタが哺乳瓶に接続されている場合、乳房シールドに集められた母乳を哺乳瓶に排出する流路を有する。典型的には、フラップ弁が流路に設けられ、ポンピング又は吸引ストロークの間は閉じたままである。反対のストロークの間は、フラップ弁が開き、母乳が流れる。装置は、好ましくは、母乳をリザーバの下端、すなわち、座面の側の端へと中央に導入するように形成された漏斗を備える。
【００１４】
本発明の１つの好ましい更なる発展形態によれば、センサユニットは、誘導性センサ、好ましくは渦電流センサを備える。誘導性センサユニットは、非接触測定装置の種類の一部である。それらは堅牢で、汚れ及び干渉場の影響を受けない。また安価である。
【００１５】
装置は、好ましくは、流体を通さない分離要素を備え、分離要素は、センサユニットの方向に移動可能であり、導電性の高い材料で作られた測定要素を備える。分離要素は、弾性材料で作ることができ、場合により哺乳瓶の縁に固定することができ、弾性変形の意味の範囲内で可動性を示す。分離要素は全く同様に、剛性部品として形成し、哺乳瓶内にスライド可能に配置することができる。剛性分離要素の場合、瓶基部内の少なくとも１つの予張（プレテンション）要素によって分離要素を支持することが好ましい。いずれの場合も、分離要素は、好ましくは、母乳の充填量の重量力の力の影響を受けずに、すなわち、哺乳瓶が空のときに元の位置に戻るか又はそこに留まるように構成される。好ましくは、分離要素は、瓶基部を瓶本体から外すことによって容易に取り外し、洗浄又は滅菌することができる別個の構成要素として構成される。分離要素は、詳細には、リザーバを瓶基部の方向に液密な方法で閉鎖し、瓶基部を瓶本体から液密な方法で分離するように、哺乳瓶内に配置することができる。測定要素は、典型的には、リザーバの反対側に配置された分離要素の側に配置されている。センサユニットと測定要素の両方は、結果として哺乳瓶内の母乳から分離されるので、失敗のない測定を確実にすることができる。
【００１６】
本発明のさらに好ましい発展形態によれば、流体を通さない分離要素は、哺乳瓶が直立しているとき、母乳の充填量が増加するとセンサユニットに向かって移動し、母乳の充填量が減少するとセンサユニットから離れるように構成される。測定要素のセンサユニットからの距離は、哺乳瓶内の母乳の充填量の増加と共に減少する。この距離を高感度に測定することにより、哺乳瓶内の母乳の充填量の特に正確な測定が可能になる。
【００１７】
流体を通さない分離要素は、好ましくは、中央に配置された金属インサート又は金属コーティングを有する弾性膜として形成される。より好ましくは、センサユニットはコイルを備え、コイルは瓶基部の中央に配置され、膜から離間している。
【００１８】
金属インサート又は金属コーティングは、結果として測定要素を形成する。コイルの磁場は測定要素に誘起される渦電流の影響を受け、この影響は金属インサート又は金属コーティングとコイルとの間の距離に比例する。コイルの磁場に対する影響の程度及びその時間的変化は、例えば、同様に瓶基部に配置することができるＲＬＣ発振回路によって検出することができる。哺乳瓶を最大限に充填しても、測定要素とコイルとの間の約１ｍｍの最小距離又はギャップが好ましくは残る。
【００１９】
ＲＬＣ発振回路は、好ましくは回路基板（ＰＣＢ）に設けられる。これは、コイルの磁場変化を検出するための省スペースで費用効果の高い解決策であることを示している。
【００２０】
本発明の好ましい一実施形態によれば、金属インサートの軸は、コイルの軸と少なくとも概ね一直線になっている。特に好ましくは、金属インサートの軸は、コイルの軸と同軸に配置されている。これにより、測定精度が向上する。金属インサートの軸は、詳細には長手方向軸又は、半径方向に対称なインサートの場合には、対称軸であると理解されるべきである。金属インサートとして好適であるのは、例えば、好ましくは円盤形状の銅板、又はステンレス鋼又は陽極酸化アルミニウムで作られた板である。
【００２１】
本発明のさらに好ましい一発展形態によれば、コイルと瓶基部によって形成された座面との間に電子部品が配置されている。詳細には、電子部品はコイルと共にＲＬＣ発振回路を形成する。しかしながら、マイクロプロセッサ又は位置センサなどの他の電子部品を設けることができる。特に好ましくは、電子部品は、コイルも配置されている回路基板（ＰＣＢ）に設けられる。回路基板及びコイルは、好ましくは中心穴を備える。これにより、分離要素のセンサ方向への移動によって生じる空気圧を補償することができる。
【００２２】
瓶基部は、好ましくはねじ留め、バヨネットロック又はスナップロックによって哺乳瓶に取り付け可能である。バヨネットロックの場合、瓶基部は、好ましくは、アンダーカットを有する少なくとも１つのロックアームを備え、瓶本体は、アンダーカットに平行なその内周に少なくとも１つのロックビードを備える。ねじ留めの場合、コンパクトな構成のために、瓶本体の内周面に雌ねじを設け、瓶基部に相手方のねじを設けることが好ましい。しかしながら、瓶基部は、全く同様に雌ねじを形成することができ、瓶本体は、相手方のねじとして雄ねじを形成することができる。スナップロックの場合、瓶基部は、好ましくは、瓶基部と瓶本体とが接合されるときに瓶本体に形成されているキャッチ突出部の後ろに瓶基部をロックするために、手動作動によって弾性的に保持することができる少なくとも１つのロックキャッチを備える。キャッチ突出部は、好ましくは、瓶基部に面する瓶本体の端部の内周面に円周方向に連続するビードとして形成される。
【００２３】
瓶基部に面する瓶本体の端部の内周面に、瓶本体は、好ましくは、瓶基部又は分離要素が密封するように当接するリング形状フランジを備える。より好ましくは、分離要素は、瓶本体が瓶基部と接合されるときにフランジに対して押し付けられ又は固定される。
【００２４】
独立した態様では、本発明は、瓶本体と、瓶基部と、瓶の内容量を測定するために瓶基部内に配置されたセンサユニットとを有する哺乳瓶であって、瓶基部が瓶本体に解放可能に取り付け可能である哺乳瓶を提供する。瓶は、好ましくは、上記で定義されたように構成され、特に好ましくは、上記の発展形態の１つ以上に従ってさらに発展している。
【００２５】
本発明のさらなる詳細は、図面と組み合わせた本発明の一実施形態の以下の説明から明らかになるであろう。
【図面の簡単な説明】
【００２６】
【図１】図１Ａは、一実施形態の側面図を示す。図１Ｂは、母乳で満たされた図１Ａの実施形態の側面図を示す。
【図２】図２Ａは、第２の実施形態の縦断面図を示す。図２Ｂは、図２Ａの第２の実施形態の分解図を（コネクタなしで）示す。
【図３】図３Ａ〜３Ｄは、第１及び第２の実施形態の瓶基部の拡大図を分解図（３Ａ）、斜視側面図（３Ｂ）、断面図（３Ｃ）及び側面図（３Ｄ）として示す。
【図４】図４Ａ〜４Ｃは、第１及び第２の実施形態の膜の拡大図を上から見た場合（４Ａ）、下から見た場合（４Ｂ）及び縦断面図（４Ｃ）として示す。
【図５】図５Ａ及び５Ｂは、第１及び第２の実施形態のセンサユニットを有する回路基板の上面（５Ａ）及び下面（５Ｂ）の平面図を示す。
【図６】図６Ａ及び６Ｂは、第１の実施形態の斜視側面図を（コネクタなしで）示す。
【図７】図７Ａ及び７Ｂは、第３の実施形態の斜視側面図を示す。
【図８】図８Ａ及び８Ｂは、第４の実施形態の斜視側面図を示す。
【図９】図９Ａ及び９Ｂは、第５の実施形態の斜視側面図を示す。
【図１０】膜のコイルからの距離と母乳の充填量との関係を示す図を示す。
【図１１】母乳の充填量とＲＬＣ発振回路の出力周波数との関係を示す図を示す。
【発明を実施するための形態】
【００２７】
図１Ａは、本発明による装置２の実施形態を示す。装置２はポンプユニットであり、ねじ接続（図示せず）によって哺乳瓶６に取り付けられたコネクタ４を備える。哺乳瓶６は、実質的に円筒形の瓶本体８と、瓶基部１０とを有する。本実施形態の瓶本体８は、透明ポリプロピレンから製造されている。したがって、哺乳瓶６内に配置された流体を通さない分離要素１２を見ることができる。流体を通さない分離要素１２は、瓶本体８のリザーバを瓶基部１０に対して液密に密封する。これは、母乳で満たされた哺乳瓶が示される図１Ｂに示されている。図１Ａ及び１Ｂでは、瓶基部１０は、瓶本体８に接続されている。この接続は解放可能である。
【００２８】
コネクタ４は、女性の乳房に対して密封する方法で取り付けることができる乳房シールド１４と、搾乳器用接続部１６とを備える。
【００２９】
以下に説明する実施形態の同じ構成要素には、同じ符号が付けられている。
【００３０】
図２Ａは、本発明による装置２の第２の実施形態の断面図を示す。図１の実施形態と比較して、装置は、瓶本体８の瓶の首２０に挿入されかつ哺乳瓶８の流体リザーバ２２の基部側端の直前まで延びる漏斗１８をさらに備える。漏斗１８は、哺乳瓶の中央に配置されている。
【００３１】
図２Ｂは、図２Ａの実施形態の分解図を示し、従来のものであり得るコネクタが省略されている。瓶本体８は、瓶の首２０に雄ねじ２４を有し、雄ねじ２４によってコネクタ４が瓶本体８に螺合される。瓶基部１０は、バヨネットロック２６によって瓶本体８に取り付けられている。実質的に円盤形状の弾性膜２８が、流体を通さない分離要素１２として設けられ、バヨネットロック２６のためのロックアーム３２を形成するハウジング３０によって支持されている（図３Ｄも参照）。瓶基部１０内に配置されているのは、実装済みの円盤形状の回路基板として図２Ｂに示されているセンサユニット３４である。瓶基部１０は、以下でより詳細に説明するオン／オフスイッチを作動する距離埋めピン３８を有するハウジングカバー３６をさらに備える。ハウジングカバー３６は、互いに結合される一方のハウジング３０の取り付け穴４０ａ、４０ｂ、４０ｃと他方のハウジングカバー３６の取り付け穴４２ａ、４２ｂ、４２ｃとによって、ハウジング３０に固定的に接続され、好ましくはハウジング３０にねじ留めされる。ハウジングカバー３６は平らな座面４４を形成し、哺乳瓶６が平らな支持面に載置されている場合に、哺乳瓶６は平らな座面４４で直立する。この実施形態では、哺乳瓶は、図２Ａで認識可能な下部リングによって形成される平らな座面で支持される。
【００３２】
膜２８の外縁は、ハウジングフランジ４６に外嵌され、その結果、弾性膜２８は、ハウジング３０に形状嵌めの方法で接続される（図３Ｃも参照）。しかしながら、その弾性により、膜２８は、瓶基部１０が瓶本体８から解放された後にハウジングフランジ４４から、詳細には手作業で、再び取り外すことができる。膜２８の外縁の上面は、ハウジング３０によって、瓶本体８の下端部で内周に形成されたリング形状フランジ４８に押し付けられる。
【００３３】
図３Ａ〜３Ｄは、第１及び第２の実施形態の瓶基部１０の様々な拡大図を示す。図３Ａは分解図であり、弾性膜２８、ハウジング３０、センサユニット３４、及びハウジングカバー３６を示す。図３Ｂは、図３Ａに示される構成要素から組み立てられた瓶基部１０の斜視側面図を示す。
【００３４】
図４Ａ、４Ｂ及び４Ｃには、第１及び第２の実施形態の実質的に円盤形状の弾性膜２８が拡大して示されており、図４Ａは膜の上面、図４Ｂは膜の下面、図４Ｃは膜の長手方向断面図を示している。膜２８の実質的に平面状の上面５０に形成されているのは、平面５０から突出する３つの異なるリング、すなわち、内側アーチ状リング５２、中央リング５４及び外側リング５６である。アーチ状の内側リング５２の領域では、膜２８は最も薄い厚さを有する。アーチ状の内側リング５２は、外側取り付け部分５８と内側可動部分６０とを接続する。外側取り付け部分５８は、ハウジング３０に当接し、縁が円周方向に閉じたアンダーカット６４を有するフランジ６２によってハウジング３０に外嵌し、形状嵌めの方法で接続されるが、アーチ状の内側リング５２及び可動部分６０は、ハウジング３０内で自由に保持され、すなわち、ハウジング３０によって支持されない。
【００３５】
この場合、外側取り付け部分５８は、取り付け部分５８の半径方向内側端部にアンダーカット６８を有する少なくとも１つの第２のフランジ６６を備える。アーチ状の内側リング５２は弾性変形可能であるため、可動部分６０が膜２８の平面状の上面５０に直交して移動することを可能にする。その下面に、可動内側部分６０は、金属インサートとしての銅板７０を備える。
【００３６】
図５Ａ及び５Ｂは、円盤形状の回路基板７２に配置された第１及び第２の実施形態のセンサユニット３４を示す。図５Ａは、コイル７４が配置されている回路基板７２の上面を示す。回路基板の中央には、空気圧の均等化のための穴７６が設けられている。回路基板７２の外縁領域には、取り付け要素を通すことができる貫通穴７８ａ、７８ｂ、７８ｃが設けられている。回路基板７２の外縁はまた、組み立て中に正確な位置決めを可能にする切欠き８０を有する。
【００３７】
図５Ｂは、バッテリ８２ａ、８２ｂ、オン／オフスイッチ８４、リセットスイッチ８６、マイクロプロセッサ８８、及び位置センサ９０が実装されている回路基板７２の下面を示す。
【００３８】
以下で説明する図６〜９は、異なる実施形態に関するが、瓶基部１０を瓶本体８に解放可能に接続するための接続機構のみが異なる。図６〜９の瓶本体８はいずれも、瓶基部に面する瓶本体８の端部の内周面にリング形状フランジ４８を備え、瓶基部１０が瓶本体８に取り付けられるときに、膜２８の取り付け部分５８がフランジ４８に密封するように当接する。図６Ａ及び６Ｂは、バヨネットロックを備える第１の実施形態に関する。この実施形態によれば、瓶基部１０のハウジング３０は、ロックアーム３２を形成する。ロックアーム３２は、瓶基部が瓶本体に挿入されると回転運動によって瓶本体のロックビード９４を導入することができるアンダーカット９２を有する。
【００３９】
図７Ａ及び７Ｂは、ねじ結合を有する第３の実施形態を示す。この実施形態によれば、瓶基部１０のハウジング３０は、瓶本体８に形成された雌ねじ１００と相互作用する雄ねじ９８を形成する。図８Ａ及び８Ｂに従った第４の実施形態は、同様にねじ結合を有し、瓶基部１０のハウジング３０は、瓶本体８に形成された雄ねじ１０４と相互作用する雌ねじ１０２を形成する。
【００４０】
図９Ａ及び９Ｂは、スナップロックを有する第５の実施形態を示す。この実施形態によれば、瓶基部１０は、２つの反対側に配置されたロックキャッチ１０６を備え、ロックキャッチ１０６は、タッチパッド１０８の手動操作によって弾性的に保持することができ、すなわち、瓶基部１０が瓶本体８に挿入されるときに瓶本体８に形成されたキャッチ突出部１１０の後ろにロックキャッチ１０６を移動させるために半径方向内側に押すことができる（図には１つのロックキャッチのみが示されている）。キャッチ突出部１１０は、好ましくは、瓶基部１０に面する瓶本体８の端部の内周面に円周方向に連続するビードとして形成される。
【００４１】
図１０は、一実施形態について、哺乳瓶内の母乳の充填量（グラムで表される）と膜２８の可動部分６０のセンサユニット３４のコイル７４からの距離（ミリメートルで示される）との関係を示す図を示す。この図から、これは実質的に線形の関係であり、母乳の充填量の増加と共に距離が短くなることがわかる。この実施形態によれば、哺乳瓶が空のとき、膜はコイル７４から４．２ｍｍの距離を有する。
【００４２】
図１１は、一実施形態について、哺乳瓶内の母乳の充填量（グラムで表される）とＲＬＣ発振回路の出力周波数（キロヘルツで表される）との関係を示す別の図を示す。この関係は、瓶の形状、ＲＬＣ発振回路の周波数、及び典型的には瓶の傾きを検出する位置センサ９０からの信号による角度情報に関連する様々なパラメータによって影響を受ける。
【符号の説明】
【００４３】
２  装置
４  コネクタ
６  哺乳瓶
８  瓶本体
１０  瓶基部
１２  分離要素
１４  乳房シールド
１６  搾乳器用接続部
１８  漏斗
２０  瓶の首
２２  流体リザーバ
２４  雄ねじ
２６  バヨネットロック
２８  弾性膜
３０  ハウジング
３２  ロックアーム
３４  センサユニット
３６  ハウジングカバー
３８  距離埋めピン
４０  ハウジングの取り付け穴
４２  ハウジングカバーの取り付け穴
４４  座面
４６  ハウジングフランジ
４８  リング形状フランジ
５０  膜の上面
５２  内側アーチ状リング
５４  中央リング
５６  外側リング
５８  取り付け部分
６０  可動部分
６２  縁のフランジ
６４  アンダーカット
６６  第２のフランジ
６８  アンダーカット
７０  銅板
７２  回路基板
７４  コイル
７６  穴
７８  貫通穴
８０  切欠き
８２ａ  バッテリ
８２ａ  バッテリ
８４  オン／オフスイッチ
８６  リセットスイッチ
８８  マイクロプロセッサ
９０  位置センサ
９２  アンダーカット
９４  ロックビード
９８  雄ねじ
１００  雌ねじ
１０２  雌ねじ
１０４  雄ねじ
１０６  ロックキャッチ
１０８  タッチパッド
１１０  キャッチ突出部
【図１Ａ】
2021523801.tif 000003
【図１Ｂ】
2021523801.tif 000004
【図２Ａ】
2021523801.tif 000005
【図２Ｂ】
2021523801.tif 000006
【図３Ａ】
2021523801.tif 000007
【図３Ｂ】
2021523801.tif 000008
【図３Ｃ】
2021523801.tif 000009
【図３Ｄ】
2021523801.tif 000010
【図４Ａ】
2021523801.tif 000011
【図４Ｂ】
2021523801.tif 000012
【図４Ｃ】
2021523801.tif 000013
【図５Ａ】
2021523801.tif 000014
【図５Ｂ】
2021523801.tif 000015
【図６Ａ】
2021523801.tif 000016
【図６Ｂ】
2021523801.tif 000017
【図７Ａ】
2021523801.tif 000018
【図７Ｂ】
2021523801.tif 000019
【図８Ａ】
2021523801.tif 000020
【図８Ｂ】
2021523801.tif 000021
【図９Ａ】
2021523801.tif 000022
【図９Ｂ】
2021523801.tif 000023
【図１０】
2021523801.tif 000024
【図１１】
2021523801.tif 000025
【国際調査報告】
2021523801.tif 000026
2021523801.tif 000027
2021523801.tif 000028
2021523801.tif 000029
2021523801.tif 000030